(57)【要約】      （修正有）【課題】過大な電圧レベルの妨害信号によって部品が破損することを防止することができる受信機を提供する。【解決手段】受信機１００は、入力された無線信号の周波数成分のうち、受信帯域の周波数成分を通過させる第１フィルタ１０１と、第１フィルタ１０１を通過した無線信号を検波する第１検波器１１２と、無線信号を減衰させる第１可変減衰器１０３及び第２可変減衰器１０５と、減衰された無線信号をＩＦ信号に周波数変換する周波数変換器１０７と、ＩＦ信号の周波数成分のうち、所定帯域の周波数成分を通過させる第２フィルタ１０８と、第２フィルタ１０８を通過したＩＦ信号を検波する第２検波器１１４と、検波された無線信号の電圧レベルと、検波されたＩＦ信号の電圧レベルとに基づいて、第１可変減衰器１０３及び第２可変減衰器１０５における無線信号の減衰量を制御する制御部１１９と、を備える。【選択図】図１
2020014139.tif 000002
【特許請求の範囲】
【請求項１】
入力された無線信号の周波数成分のうち、受信帯域の周波数成分を通過させる第１フィルタと、
前記第１フィルタを通過した前記無線信号を検波する第１検波器と、
前記第１フィルタを通過した前記無線信号を減衰させる可変減衰器と、
所定周波数の発振信号を出力する局部発振器と、
減衰された前記無線信号と前記局部発振器から出力された前記発振信号とを乗算することにより、当該無線信号を中間周波数帯の信号である中間周波数帯信号に周波数変換する周波数変換器と、
前記中間周波数帯信号の周波数成分のうち、所定帯域の周波数成分を通過させる第２フィルタと、
前記第２フィルタを通過した中間周波数帯信号を検波する第２検波器と、
前記第１検波器において検波された前記無線信号の電圧レベルと、前記第２検波器において検波された前記中間周波数帯信号の電圧レベルとに基づいて、前記可変減衰器における前記無線信号の減衰量を制御する制御部と、
を備える受信機。
【請求項２】
前記無線信号の電圧レベルが過大ではない場合における前記可変減衰器の減衰量を示す第１設定情報と、前記無線信号の電圧レベルが過大である場合における前記可変減衰器の減衰量を示す第２設定情報とを記憶する記憶部をさらに備え、
前記制御部は、前記第１検波器において検波された前記無線信号の電圧レベルが第１閾値を超えておらず、前記第２検波器において検波された前記中間周波数帯信号の電圧レベルが第２閾値を超えていない場合、前記無線信号の電圧レベルが過大ではないと判定し、前記第１設定情報に基づいて前記可変減衰器における前記減衰量を制御し、前記第１検波器において検波された前記無線信号の電圧レベルが前記第１閾値を超えた場合、又は、前記第２検波器において検波された前記中間周波数帯信号の電圧レベルが前記第２閾値を超えた場合、前記無線信号の電圧レベルが過大であると判定し、前記第２設定情報に基づいて前記可変減衰器における前記減衰量を制御する、
請求項１に記載の受信機。
【請求項３】
前記制御部は、前記無線信号の電圧レベルが過大であると判定すると、前記第２検波器において検波された前記中間周波数帯信号の電圧レベルに、前記第１設定情報に対応する減衰量と前記第２設定情報に対応する減衰量との差分値を加算した電圧レベルに基づいて、前記無線信号の電圧レベルが過大であるか否かを判定する、
請求項２に記載の受信機。
【請求項４】
前記中間周波数帯信号を復調する復調器をさらに備え、
前記制御部は、前記受信機に所定の電圧レベルの無線信号を入力した場合に前記復調器から出力される信号の振幅を特定し、当該振幅が所定電圧を超えなくなるときの前記可変減衰器における前記減衰量を、前記第２設定情報が示す減衰量に設定する、
請求項２又は３に記載の受信機。
【発明の詳細な説明】
【技術分野】
【０００１】
本発明は、受信機に関する。
【背景技術】
【０００２】
受信機においては、入力信号の電圧レベルが過大となった場合に、受信機を構成する部品が破壊されることを防ぐための保護回路が設けられる（例えば、特許文献１参照）。
【先行技術文献】
【特許文献】
【０００３】
【特許文献１】特開２０１５−７３３０１号公報
【発明の概要】
【発明が解決しようとする課題】
【０００４】
部品の破壊を防ぐためにショットキーバリアダイオードを用いる場合、ショットキーバリアダイオードが動作する電圧（例えば０．２Ｖｐ〜０．５Ｖｐ）を超える過大入力に対してしか保護回路が動作しない。その結果、保護回路が動作するより低い振幅レベルで受信回路を構成する増幅器や周波数変換器が飽和し、振幅エラー又は位相エラーによる受信性能の劣化が生じるという問題があった。
【０００５】
そこで、本発明はこれらの点に鑑みてなされたものであり、過大な電圧レベルの妨害信号によって部品が破損することを防止することができる受信機を提供することを目的とする。
【課題を解決するための手段】
【０００６】
本発明の第１の態様に係る受信機は、入力された無線信号の周波数成分のうち、受信帯域の周波数成分を通過させる第１フィルタと、前記第１フィルタを通過した前記無線信号を検波する第１検波器と、前記第１フィルタを通過した前記無線信号を減衰させる可変減衰器と、所定周波数の発振信号を出力する局部発振器と、減衰された前記無線信号と前記局部発振器から出力された前記発振信号とを乗算することにより、当該無線信号を中間周波数帯の信号である中間周波数帯信号に周波数変換する周波数変換器と、前記中間周波数帯信号の周波数成分のうち、所定帯域の周波数成分を通過させる第２フィルタと、前記第２フィルタを通過した中間周波数帯信号を検波する第２検波器と、前記第１検波器において検波された前記無線信号の電圧レベルと、前記第２検波器において検波された前記中間周波数帯信号の電圧レベルとに基づいて、前記可変減衰器における前記無線信号の減衰量を制御する制御部と、を備える。
【０００７】
前記受信機は、前記無線信号の電圧レベルが過大ではない場合における前記可変減衰器の減衰量を示す第１設定情報と、前記無線信号の電圧レベルが過大である場合における前記可変減衰器の減衰量を示す第２設定情報とを記憶する記憶部をさらに備え、前記制御部は、前記第１検波器において検波された前記無線信号の電圧レベルが第１閾値を超えておらず、前記第２検波器において検波された前記中間周波数帯信号の電圧レベルが第２閾値を超えていない場合、前記無線信号の電圧レベルが過大ではないと判定し、前記第１設定情報に基づいて前記可変減衰器における前記減衰量を制御し、前記第１検波器において検波された前記無線信号の電圧レベルが前記第１閾値を超えた場合、又は、前記第２検波器において検波された前記中間周波数帯信号の電圧レベルが前記第２閾値を超えた場合、前記無線信号の電圧レベルが過大であると判定し、前記第２設定情報に基づいて前記可変減衰器における前記減衰量を制御してもよい。
【０００８】
前記制御部は、前記無線信号の電圧レベルが過大であると判定すると、前記第２検波器において検波された前記中間周波数帯信号の電圧レベルに、前記第１設定情報に対応する減衰量と前記第２設定情報に対応する減衰量との差分値を加算した電圧レベルに基づいて、前記無線信号の電圧レベルが過大であるか否かを判定してもよい。
【０００９】
前記受信機は、前記中間周波数帯信号を復調する復調器をさらに備え、前記制御部は、前記受信機に所定の電圧レベルの無線信号を入力した場合に前記復調器から出力される信号の振幅を特定し、当該振幅が所定電圧を超えなくなるときの前記可変減衰器における前記減衰量を、前記第２設定情報が示す減衰量に設定してもよい。
【発明の効果】
【００１０】
本発明によれば、過大な電圧レベルの妨害信号によって部品が破損することを防止することができるという効果を奏する。
【図面の簡単な説明】
【００１１】
【図１】本実施形態に係る受信機の構成を示す図である。
【発明を実施するための形態】
【００１２】
［受信機１００の概要］
図１は、本実施形態に係る受信機１００の構成を示す図である。本実施形態において、受信機１００は、第１フィルタ１０１と、第１可変減衰器１０３と、第２可変減衰器１０５と、周波数変換器１０７と、第２フィルタ１０８と、第１検波器１１２と、第２検波器１１４と、制御部１１９とを備え、入力信号の電圧レベルが過大となった場合に、受信機１００を構成する部品が破壊されることを防ぐ。
【００１３】
第１フィルタ１０１は、入力された無線信号の周波数成分のうち、受信帯域の周波数成分を通過させる。第１可変減衰器１０３及び第２可変減衰器１０５は、制御部１１９の制御により、第１フィルタ１０１を通過した無線信号を減衰させる。
【００１４】
周波数変換器１０７は、減衰された無線信号を中間周波数帯の信号である中間周波数帯信号に周波数変換する。第２フィルタ１０８は、中間周波数帯信号のうち、所定帯域の周波数成分を通過させる。
【００１５】
第１検波器１１２は、第１フィルタ１０１を通過した無線信号を検波し、第２検波器１１４は、中間周波数帯信号を検波する。制御部１１９は、第１検波器１１２において検波された無線信号の電圧レベルと、第２検波器１１４において検波された中間周波数帯信号の電圧レベルとに基づいて、第１可変減衰器１０３及び第２可変減衰器１０５における無線信号の減衰量を制御する。
【００１６】
このようにすることで、受信機１００は、第１フィルタ１０１を通過した無線信号に含まれる妨害信号のうち、第２フィルタ１０８において減衰される妨害信号が過大な電圧レベルであることにより、第１フィルタ１０１と周波数変換器１０７との間に設けられている受信機１００の部品が破損することを防止することができる。また、受信機１００は、中間周波数帯信号が過大な電圧レベルであることにより、第２フィルタ１０８の後段に設けられている受信機１００の部品が破損することを防止することができる。
【００１７】
続いて、受信機１００が備える各構成について説明する。なお、以下の説明において、中間周波数帯信号を、ＩＦ（Intermediate Frequency）信号ともいう。
【００１８】
［受信機１００の構成］
図１に示すように、受信機１００は、第１フィルタ１０１と、第１結合器１０２と、第１可変減衰器１０３と、増幅器１０４と、第２可変減衰器１０５と、局部発振器１０６と、周波数変換器１０７と、第２フィルタ１０８と、第２結合器１０９と、可変増幅器１１０と、復調器１１１と、第１検波器１１２と、第１Ａ／Ｄ変換器１１３と、第２検波器１１４と、第２Ａ／Ｄ変換器１１５と、第１Ｄ／Ａ変換器１１６と、第２Ｄ／Ａ変換器１１７と、第３Ｄ／Ａ変換器１１８と、制御部１１９と、記憶部１２０とを備える。
【００１９】
第１フィルタ１０１は、例えば帯域通過フィルタであり、入力された無線信号の周波数成分のうち、受信帯域の周波数成分を通過させる。
第１結合器１０２は、第１フィルタ１０１を通過した無線信号を、第１可変減衰器１０３及び第１検波器１１２に出力する。
【００２０】
第１可変減衰器１０３は、第１フィルタ１０１を通過し第１結合器１０２から出力された無線信号を減衰させる。第１可変減衰器１０３は、制御部１１９から出力され、第１Ｄ／Ａ変換器１１６によりアナログ信号に変換された制御信号に基づいて、第１フィルタ１０１を通過した無線信号を減衰させる。
【００２１】
増幅器１０４は、第１可変減衰器１０３により減衰された無線信号を増幅して第２可変減衰器１０５に出力する。
第２可変減衰器１０５は、第１フィルタ１０１を通過し、増幅器１０４から出力された無線信号を減衰させる。第２可変減衰器１０５は、制御部１１９から出力され、第２Ｄ／Ａ変換器１１７によりアナログ信号に変換された制御信号に基づいて、増幅器１０４から出力された無線信号を減衰させる。
【００２２】
局部発振器１０６は、無線信号の周波数を変換させるために用いられる所定周波数の発振信号を出力する。
周波数変換器１０７は、第１可変減衰器１０３及び第２可変減衰器１０５により減衰された無線信号と、局部発振器１０６から出力された発振信号とを乗算することにより、当該無線信号をＩＦ信号に周波数変換するヘテロダイン受信回路を構成する。
【００２３】
第２フィルタ１０８は、例えば帯域通過フィルタであり、ＩＦ信号の周波数成分のうち狭帯域の周波数成分を通過させる。第２フィルタ１０８が通過させる周波数成分の周波数帯域は、受信機１００が対応する通信方式で必要となる最小限の帯域に設定されている。
第２結合器１０９は、第２フィルタ１０８を通過した無線信号を、可変増幅器１１０及び第２検波器１１４に出力する。
【００２４】
可変増幅器１１０は、第２フィルタ１０８を通過し、第２結合器１０９から出力されたＩＦ信号の電圧レベルを増幅させる。可変増幅器１１０は、制御部１１９から出力され、第３Ｄ／Ａ変換器１１８によりアナログ信号に変換された制御信号に基づいて、第２フィルタ１０８を通過したＩＦ信号の振幅が所定範囲内になるように電圧レベルを増幅させる。
復調器１１１は、ＩＦ信号を復調し、復調された信号を外部に出力するとともに、制御部１１９に出力する。
【００２５】
第１検波器１１２は、第１フィルタ１０１を通過し、第１結合器１０２から出力された無線信号を検波し、検波レベルに対応する電圧を発生する。第１検波器１１２は、発生した電圧を第１Ａ／Ｄ変換器１１３に入力する。
第１Ａ／Ｄ変換器１１３は、第１検波器１１２から入力された電圧をデジタル信号に変換し、制御部１１９に出力する。
【００２６】
第２検波器１１４は、第２フィルタ１０８を通過し、第２結合器１０９から出力されたＩＦ信号を検波し、検波レベルに対応する電圧を発生する。第２検波器１１４は、発生した電圧を第２Ａ／Ｄ変換器１１５に入力する。
第２Ａ／Ｄ変換器１１５は、第２検波器１１４から入力された電圧をデジタル信号に変換し、制御部１１９に出力する。
【００２７】
第１Ｄ／Ａ変換器１１６、制御部１１９から出力された制御信号をアナログ信号に変換する。制御信号は、例えば８ビット幅のデジタル信号である。第１Ｄ／Ａ変換器１１６は、変換後のアナログ信号を第１可変減衰器１０３に出力する。
【００２８】
第２Ｄ／Ａ変換器１１７は、制御部１１９から出力された制御信号をアナログ信号に変換し、第２可変減衰器１０５に出力する。
第３Ｄ／Ａ変換器１１８は、制御部１１９から出力された制御信号をアナログ信号に変換し、可変増幅器１１０に出力する。
【００２９】
制御部１１９は、例えばＣＰＵ（Central Processing Unit）やＦＰＧＡ（Field-Programmable Gate Array）である。制御部１１９は、第１Ａ／Ｄ変換器１１３から出力される、第１検波器１１２において検波された無線信号の電圧レベルを示すデジタル信号を取得する。また、制御部１１９は、第２Ａ／Ｄ変換器１１５から出力される、第２検波器１１４において検波されたＩＦ信号の電圧レベルを示すデジタル信号を取得する。また、制御部１１９は、復調器１１１から出力される復調信号の振幅を示す信号振幅情報を取得する。
【００３０】
制御部１１９は、第１検波器１１２において検波された無線信号の電圧レベルと、第２検波器１１４において検波されたＩＦ信号の電圧レベルとに基づいて、第１可変減衰器１０３及び第２可変減衰器１０５における無線信号の減衰量を制御する。また、制御部１１９は、復調器１１１から出力される信号振幅情報が示す復調信号の振幅レベルが一定となるように、可変増幅器１１０におけるＩＦ信号の電圧レベルの増幅量を制御する。
【００３１】
［減衰量の制御方法］
制御部１１９は、記憶部１２０に記憶された設定情報に基づいて、第１可変減衰器１０３及び第２可変減衰器１０５に入力される無線信号の減衰量を制御する。記憶部１２０には、無線信号の電圧レベルが過大ではない場合における第１可変減衰器１０３及び第２可変減衰器１０５の減衰量を示す第１設定情報と、無線信号の電圧レベルが過大である場合における第１可変減衰器１０３及び第２可変減衰器１０５の減衰量を示す第２設定情報とが記憶されている。
【００３２】
第１設定情報は、例えば、第２検波器１１４により検波されたＩＦ信号の電圧レベルと、第１可変減衰器１０３及び第２可変減衰器１０５のそれぞれにおける無線信号の減衰量とを関連付けた情報である。第１設定情報及び第２設定情報が示す減衰量は、減衰させる電圧の大きさであってもよく、減衰率であってもよい。
【００３３】
制御部１１９は、第１検波器１１２において検波された無線信号の電圧レベルが第１閾値を超えているか否かを判定するとともに、第２検波器１１４において検波されたＩＦ信号の電圧レベルが第２閾値を超えているか否かを判定することにより、第１フィルタ１０１を通過した無線信号の電圧レベルが過大であるか否かを判定する。
【００３４】
ここで、第２設定情報が示す第１可変減衰器１０３及び第２可変減衰器１０５における無線信号の減衰量、第１閾値及び第２閾値は、受信機１００の製造過程において、以下のように設定される。
【００３５】
まず、受信機１００に、部品が破損しない程度の過電圧の無線信号を入力する。制御部１１９は、部品が破損しない程度の過電圧の無線信号を受信機１００に入力された場合に、復調器１１１から出力される信号の振幅を特定する。そして、制御部１１９は、第１可変減衰器１０３及び第２可変減衰器１０５における無線信号の減衰量を調整しながら、特定された振幅が所定電圧を超えないような、第１可変減衰器１０３及び第２可変減衰器１０５における無線信号の減衰量を特定する。このようにすることで、受信機１００は、過電圧の無線信号が受信機１００に入力された場合の、第１可変減衰器１０３及び第２可変減衰器１０５における減衰量を適切な値に設定することができる。
【００３６】
また、制御部１１９は、部品が破損しない程度の過電圧の無線信号を受信機１００に入力した場合に第１検波器１１２が検波した無線信号の電圧レベルを第１閾値に設定し、第２検波器１１４が検波したＩＦ信号の電圧レベルを第２閾値に設定する。
【００３７】
制御部１１９は、第１検波器１１２において検波された無線信号の電圧レベルが第１閾値を超えておらず、第２検波器１１４において検波されたＩＦ信号の電圧レベルが第２閾値を超えていない場合、無線信号の電圧レベルが過大ではないと判定する。制御部１１９は、無線信号の電圧レベルが過大ではないと判定すると、記憶部１２０に記憶されている第１設定情報に基づいて第１可変減衰器１０３及び第２可変減衰器１０５における無線信号の減衰量を制御する。
【００３８】
また、制御部１１９は、第１検波器１１２において検波された無線信号の電圧レベルが第１閾値を超えた場合、又は、第２検波器１１４において検波されたＩＦ信号の電圧レベルが第２閾値を超えた場合、無線信号の電圧レベルが過大であると判定する。制御部１１９は、無線信号の電圧レベルが過大である判定すると、記憶部１２０に記憶されている第２設定情報に基づいて第１可変減衰器１０３及び第２可変減衰器１０５における無線信号の減衰量を制御する。このようにすることで、受信機１００は、過大な電圧レベルの無線信号が入力された場合に、第１可変減衰器１０３よりも後段に設けられている受信機１００の部品が破損することを防止することができる。
【００３９】
制御部１１９は、無線信号の電圧レベルが過大であると判定すると、第２検波器１１４において検波されたＩＦ信号の電圧レベルに、第１設定情報に対応する減衰量と第２設定情報に対応する減衰量との差分値であるオフセット値を加算した電圧レベルに基づいて、無線信号の電圧レベルが過大であるか否かを判定する。
【００４０】
具体的には、制御部１１９は、無線信号の電圧レベルが過大であると判定すると、第２検波器１１４において検波されたＩＦ信号の電圧レベルに、過大入力があった場合に減衰量の増加量を示すオフセット値を加算した電圧レベルが、第２閾値を超えているか否かを判定することにより、無線信号の電圧レベルが過大であるか否かを判定する。このようにすることで、制御部１１９が、過大入力状態が継続しており、第１可変減衰器１０３及び第２可変減衰器１０５の減衰量を大きくしたことでＩＦ信号のレベルが下がっているだけであるにもかかわらず、過大入力がなくなったと誤判定してしまうことを防止できる。
【００４１】
制御部１１９は、無線信号の電圧レベルが過大ではないと判定すると、再び、記憶部１２０に記憶されている第１設定情報に基づいて第１可変減衰器１０３及び第２可変減衰器１０５における無線信号の減衰量を制御する。また、制御部１１９は、第２検波器１１４において検波されたＩＦ信号の電圧レベルへのオフセット値の加算も中止する。このようにすることで、受信機１００は、過大な電圧レベルの無線信号が入力された後に、電圧レベルが過大ではない状態に戻った場合に、過大な電圧レベルを検出していないときの制御に復帰することができる。
【００４２】
［本実施形態の効果］
以上のとおり、本実施形態に係る受信機１００では、制御部１１９が、第１検波器１１２において検波された、第１フィルタ１０１を通過した無線信号の電圧レベルと、第２検波器１１４において検波されたＩＦ信号の電圧レベルとに基づいて、第１可変減衰器１０３及び第２可変減衰器１０５における無線信号の減衰量を制御する。
【００４３】
このようにすることで、受信機１００に入力される無線信号の電圧レベルが、例えば−３０ｄＢｍのような、ショットキーダイオードが動作しないようなレベルであっても、過大入力を検出し、増幅器１０４及び周波数変換器１０７等が飽和する前に保護回路を動作させることができる。その結果、振幅エラー又は位相エラーの発生による受信性能の劣化を防ぐことができる。
【００４４】
また、受信機１００は、第１フィルタ１０１を通過した無線信号に含まれる妨害信号が過大な電圧レベルであることにより、第１可変減衰器１０３と周波数変換器１０７との間に設けられている受信機１００の部品が破損することを防止することができる。また、受信機１００は、第２フィルタ１０８を通過したＩＦ信号が過大な電圧レベルであることにより、第２フィルタ１０８の後段に設けられている受信機１００の部品が破損することを防止することができる。
【００４５】
また、−３０ｄＢｍのような低い入力レベルを保護回路の動作閾値とした場合、他の通信機が送信した、本来の受信周波数と異なる周波数の妨害波は第１フィルタ１０１で減衰されるが、送信レベルが高い場合は十分に減衰されない。その結果、第１フィルタ１０１から第２可変減衰器１０５までの構成だけで保護回路を制御しようとすると、保護できない場合が生じるおそれがある。これに対して、受信機１００においては、中間周波数帯で検波した結果も用いて保護回路を動作させているので、保護性能を向上させることができる。
【００４６】
以下、中間周波数帯で検波する構成により生じる効果について説明する。希望波が受信機１００に入力され、同時に希望波とは周波数が異なる妨害波が過大入力となった場合、周波数変換器１０７により希望波は中間周波数に変換され、妨害波は中間周波数と異なる周波数に変換される。その後、第２フィルタ１０８で妨害波のみが減衰される。
【００４７】
周波数変換前の高い周波数では減衰しきれない数百ＭＨｚ離調の妨害波でも、通常、中間周波数帯は数十ＭＨｚから数百ＭＨｚとなるため、中間周波数帯では十分に離調しており、大きな減衰量を確保できる。よって、第１フィルタ１０１で減衰量が不足しても、第２フィルタ１０８において大きな減衰量が加算され、結果として、中間周波数帯では希望波のレベルだけで保護回路を動作させることが可能となる。
【００４８】
さらに、受信機１００においては、第１可変減衰器１０３及び第２可変減衰器１０５が設けられている。これらの２つの可変減衰器の減衰量の設定値をそれぞれ異なる値に調整しておくことにより、増幅器１０４の飽和レベルと受信機１００の雑音指数を考慮して最適化することも可能である。受信機１００を構成する各ブロックの雑音指数をＦｉ（ｉは１以上の整数）とすると、受信機１００の雑音指数Ｆは、以下の式により表される。
Ｆ＝Ｆ１＋（Ｆ２−１）／Ｇ１＋（Ｆ３−１）／（Ｇ１・Ｇ２）＋・・・
＋（Ｆｎ−１）／（Ｇ１・・・・Ｇｎ−１）
したがって、受信感度の点からは、第１可変減衰器１０３の減衰量が第２可変減衰器１０５の減衰量よりも小さくなるように設定することが好ましい。
【００４９】
ただし、第１可変減衰器１０３の減衰量を小さくすることと、増幅器１０４が飽和しやすくなることとはトレードオフの関係にある。受信機１００の構成においては、このトレードオフを最適化できる。
【００５０】
例えば＋２０ｄＢｍの入力を過大入力の最大値として設計し、増幅器１０４の飽和入力レベルが＋１０ｄＢｍであり、第２可変減衰器１０５の後段のブロックの飽和入力レベルが−５ｄＢｍであるとする。この場合、第１可変減衰器１０３には［＋２０ｄＢｍ］−［＋１０ｄＢｍ］＝１０ｄＢの減衰量を設定し、第２可変減衰器１０５には［＋２０ｄＢｍ］−［＋１０ｄＢｍ］−［−５ｄＢｍ］＝１５ｄＢの減衰量を設定することが好適である。
【００５１】
以上、本発明を実施の形態を用いて説明したが、本発明の技術的範囲は上記実施の形態に記載の範囲には限定されず、その要旨の範囲内で種々の変形及び変更が可能である。例えば、受信機１００の雑音指数を改善することを目的として、受信機１００の初段に、受信機１００の部品の雑音指数よりも相対的に低い雑音指数を有する増幅器を設けるようにしてもよい。
【００５２】
また、上述の実施形態では、受信機１００が、第１可変減衰器１０３と、第２可変減衰器１０５とを備えたが、これに限らない。例えば、第１可変減衰器１０３と、第２可変減衰器１０５との代わりに、可変増幅器を備えることとして、受信機１００における回路規模を減らすようにしてもよい。また、上述の実施形態では、第１Ｄ／Ａ変換器１１６と、第２Ｄ／Ａ変換器１１７とを備えたが、これに限らない。例えば、第１Ｄ／Ａ変換器１１６と、第２Ｄ／Ａ変換器１１７との代わりに、１つのＤ／Ａ変換器を備えることとし、当該Ｄ／Ａ変換器が、第１可変減衰器１０３と、第２可変減衰器１０５とに制御信号を出力してもよい。
【００５３】
また、上述の実施形態では、受信機１００が１つの周波数変換器１０７を備え、周波数変換を１回行っていたが、これに限らない。受信機１００は、２つの周波数変換器１０７を備え、周波数変換を２回行ってもよい。
【００５４】
また、例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５５】
１００・・・受信機、１０１・・・第１フィルタ、１０２・・・第１結合器、１０３・・・第１可変減衰器、１０４・・・増幅器、１０５・・・第２可変減衰器、１０６・・・局部発振器、１０７・・・周波数変換器、１０８・・・第２フィルタ、１０９・・・第２結合器、１１０・・・可変増幅器、１１１・・復調器、１１２・・・第１検波器、１１３・・・第１Ａ／Ｄ変換器、１１４・・・第２検波器、１１５・・・第２Ａ／Ｄ変換器、１１６・・・第１Ｄ／Ａ変換器、１１７・・・第２Ｄ／Ａ変換器、１１８・・・第３Ｄ／Ａ変換器、１１９・・・制御部、１２０・・・記憶部
【図１】
2020014139.tif 000003